(57)【特許請求の範囲】
【請求項１】
ハンドル引上棒は、上端を膨出して成形された頭部の下縁寄りに、横に貫通する保持孔が開口され、この保持孔に対して頭部の頂面から連通し、係合部材を嵌入装備する装備孔が開口され、この装備孔の上部の入口側の内径面に管用ネジが設けられ、この管用ネジに軸受筒が螺合して配備され、前記係合部材は、上端に摘み部が軸部に接続され、下端に軸部より大径のバネ受け鍔部が形成されると共にバネ受け鍔部の下面にピンが突出形成され、この係合部材の軸部は、前記ハンドル引上棒の頭部に配備された前記軸受筒に上下に昇降自在に支承されると共に、前記軸受筒と前記バネ受け鍔部の間に拡張コイルバネが配備され、この拡張コイルバネの作用で係合部材が下方に常時付勢され、装備孔から下端のピンが出没自在に保持孔内に突出され、保持孔内に嵌入される六角スパナの短尺折曲部の端部寄りに凹陥形成された係合用環状溝に、前記係合部材のピンが係合され、六角スパナがハンドル引上棒に着脱自在に係合保持されてなる折畳み自転車のハンドル引上棒用レバー装置。
【発明の詳細な説明】
【０００１】
【発明が属する技術分野】
この発明は、折畳み自転車において、ハンドルポストと前車輪を軸支する前ホークを固定する折畳み自転車のハンドル引上棒用レバー装置に関するものである。
【０００２】
【従来の技術】
従来、一般的に市販されている折畳み自転車用に使用しているハンドルは、引上臼を引上げてハンドルと前ホークを固定するネジである引上棒にレバーを装着させて、レバーの回転で引上棒を緩め、ハンドルポストを下げて、前ホークとの固定を解除してハンドルをコンパクトに折畳み、逆に、乗車時には、引上棒を引き上げ、これを締め上げてハンドルと前ホークを正常位置に固定している。また、レバーを半回転角引上げまたは半回転角押し戻して引上棒を上下し、前ホークとハンドルポストの固定を解除または再固定を行うクイック型も数多く実施されている。
【０００３】
【発明が解決しようとする課題】
一般に自転車を整備、調整するには、工具が必要である。そして、この工具を携帯するには、自転車に工具入を取付け、これに工具を収容するが、時には工具入に入っていないことに遭遇し、大変に困るものである。
また、折畳み自転車では、組み立て時に、折畳み機構を固定または開放するために工具を必需品とするものある。
【０００４】
そこで、この発明は、必需品とする工具を簡易・確実な機構で、かつ着脱自在に、常時ダイレクトに携帯し、必要とする時に具えると共に、ハンドルを折畳むための引上棒を携帯時の状態で、締めまたは緩める操作を行える折畳み自転車のハンドル引上棒用レバー装置を提供することを目的になされたものである。
【０００５】
【課題を解決するための手段】
ハンドル引上棒は、上端を膨出して成形された頭部の下縁寄りに、横に貫通する保持孔が開口され、この保持孔に対して頭部の頂面から連通し、係合部材を嵌入装備する装備孔が開口され、この装備孔の上部の入口側の内径面に管用ネジが設けられ、この管用ネジに軸受筒が螺合して配備され、前記係合部材は、上端に摘み部が軸部に接続され、下端に軸部より大径のバネ受け鍔部が形成されると共にバネ受け鍔部の下面にピンが突出形成され、この係合部材の軸部は、前記ハンドル引上棒の頭部に配備された前記軸受筒に上下に昇降自在に支承されると共に、前記軸受筒と前記バネ受け鍔部の間に拡張コイルバネが配備され、この拡張コイルバネの作用で係合部材が下方に常時付勢され、装備孔から下端のピンが出没自在に保持孔内に突出され、保持孔内に嵌入される六角スパナの短尺折曲部の端部寄りに凹陥形成された係合用環状溝に、前記係合部材のピンが係合され、六角スパナがハンドル引上棒に着脱自在に係合保持されてなる折畳み自転車のハンドル引上棒用レバー装置にある。
【０００６】
【発明の実施の形態】
ハンドル引上棒は、上端を膨出して成形された頭部の下縁寄りに、横に貫通する保持孔が開口され、この保持孔に対して頭部の頂面から連通し、係合部材を嵌入装備する装備孔が開口され、この装備孔の上部の入口側の内径面に管用ネジが設けられ、この管用ネジに軸受筒が螺合して配備され、前記係合部材は、上端に摘み部を軸部に対して螺合して接続され、下端に軸部より大径のバネ受け鍔部が形成されると共にバネ受け鍔部の下面にピンが突出形成され、この係合部材の軸部は、前記ハンドル引上棒の頭部に配備された前記軸受筒に上下に昇降自在に支承されると共に、前記軸受筒と前記バネ受け鍔部の間に拡張コイルバネが配備され、この拡張コイルバネの作用で係合部材が下方に常時付勢され、装備孔から下端のピンが出没自在に保持孔内に突出され、保持孔内に嵌入される六角スパナの短尺折曲部の端部寄りに凹陥形成された係合用環状溝に、前記係合部材のピンが係合され、六角スパナがハンドル引上棒に着脱自在に係合保持されてなる折畳み自転車のハンドル引上棒用レバー装置。
【０００７】
【実施例】
以下、この発明の折畳み自転車のハンドル引上棒用レバー装置を実施例として示す図面により説明すると、１は、ハンドル引上棒で、上端は頭部１ａに膨出成形され、その下縁寄りに横に貫通する保持孔２が開口される。この保持孔２に対して頂上面から係合部材３を嵌入装備する装備孔４が開口される。この装備孔４の入り口側は、内径面に管用ネジ５が設けられ、軸受筒６が螺合して配備される。軸受筒６は、頭部１ａの装備孔４に前記螺合による配備に限定されるものではない。
【０００８】
前記係合部材３は、上端に摘み部３ａを軸部３ｂに対して実施例では、螺合して接続し、下端は、外径が軸部３ｂより大径に形成されるバネ受け鍔部３ｃに形成されると共にバネ受け鍔部３ｃの下面にピン３ｄが突出形成される。摘み部３ａと軸部３ｂの接続は、前記螺合に限定されるものではない。
【０００９】
前記係合部材３は、その軸部３ｂを頭部１ａに配備された軸受筒６に上下に昇降自在に支承され、軸受筒６とバネ受け鍔部３ｃの間に拡張コイルバネ７を配備され、拡張コイルバネ７の作用で下方に常時付勢し、装備孔４から下端のピン部３ｄを保持孔２内に突出させる。前記係合部材３は、上端の摘み部３ａを引上ることにより拡張コイルバネ７を圧縮し、頭部１ａに対して上方にスライドさせることができ、ピン３ｄを保持孔２から引き上げて装備孔４内に引き入れることができる。摘み部３ａを釈放すると、拡張コイルバネ７の作用で全体を下方にスライドさせ、ピン３ｄを保持孔２に突出しようとする。
【００１０】
８は、この発明の折畳み自転車のハンドル引上棒用レバー装置のレバーとなる六角スパナであって、短尺折曲部８ａの端部８ａ１寄り適所に前記係合部材３はピン３ｄと適合する幅と深さの係合用環状溝９が凹陥形成される。また、六角スパナ８の端部に外周面に設ける係合用環状溝９は、この形状に限定されるものでなく、環状溝に連続しないもので、ピン３ｄと対応する部分が凹陥部であるものを含むものである。また、ピン３ｄは、互いに噛み合う歯車型または鋸歯型に凹凸が連続するものであってもよいものである。さらに、横ずれを阻止するずれ止め摩擦面であってもよいものである。
【００１１】
この発明の折畳み自転車のハンドル引上棒用レバー装置をハンドルポストに実施した実施例として示す図６において、１１はカラーで、ハンドル引上棒１の頭部１ａを所要位置に配備するためのものである。１２は引上臼で、ハンドル引上棒１の下端のネジ部１ｂに螺合する。１３は、前ホークステムである。
【００１２】
この発明の折畳み自転車のハンドル引上棒用レバー装置は、以上のように構成されるから、ハンドル引上棒１の頭部１ａの外方にある係合部材３の摘み部３ａを、例えば、指で摘んで引き上げると、保持孔２内に突出するピン３ｄが六角スパナ８の係合用環状溝９から外れ、六角スパナ８をフリーにする。そこで、六角スパナ８を横に引くと簡単にハンドル引上棒１の頭部１ａから引き抜くことができる。よって、図示しないが、六角スパナ８を使用して、折り畳み自転車のフレーム等の六角穴付きボルトの締め作業を行うことができ、工具を定位置に格納携帯し、自転車の折り畳み作業または組み立て作業を確実に行うことができるのである。
【００１３】
次に、六角スパナ８の使用が終了したら、再び、係合部材３の摘み部３ａを引上げ、六角スパナ８の短尺折曲部８ａを差込み、摘み部３ａを釈放すると、係合部材３は、拡張コイルバネ７の作用で全体を下方にスライドさせ、ピン３ｄを保持孔２に突出しようとし、ピン３ｄが六角スパナ８の係合用環状溝９に落ち込んで係合する。このときクリック感がある。安全確保のためには、六角スパナ８を引き、押しまたは回転させて完全に、係合部材３のピン３ｄが六角スパナ８の係合用環状溝９に落ち込んでいることを確認するとよいものである。
【００１４】
【発明の効果】
この発明の折畳み自転車のハンドル引上棒用レバー装置は、以上のようになるから、折畳み自転車で必需品とする工具を簡易・確実な機構で、かつ着脱自在に、常時ダイレクトに携帯し、必要とする時に具えると共に、ハンドルを折畳むための引上棒を携帯時の状態で、締めまたは緩める操作を行えるものである。
【図面の簡単な説明】
【図１】  図面は、この発明の折畳み自転車のハンドル引上棒用レバー装置の一例を示すもので、ハンドル引上棒の一部を切り欠き断面で示す装置全体の側面図である。
【図２】  同じく、要部の拡大部分断面図である。
【図３】  同じく、引上棒単体の拡大部分断面図である。
【図４】  同じく、引上棒の頭部に配備される係合部材単体の拡大側面図である。
【図５】  同じく、六角スパナ単体の側面図である。
【図６】  この発明の折畳み自転車のハンドル引上棒用レバー装置をハンドルポストに装備した状態の側面図である。
【符号の説明】
１  ハンドル引上棒
１ａ  頭部
１ｂ  ネジ部
２  保持孔
３  係合部材
３ａ  摘み部
３ｂ  軸部
３ｃ  バネ受け鍔部
３ｄ  ピン
４  装備孔
５  管用ネジ
６  軸受筒
７  拡張コイルバネ
８  六角スパナ
８ａ  短尺折曲部
８ａ１  端部
９  係合用環状溝
１０  ハンドルポスト
１１  カラー
１２  引上臼
１３  前ホークステム
【図１】
0004117640.tif 000002
【図２】
0004117640.tif 000003
【図３】
0004117640.tif 000004
【図４】
0004117640.tif 000005
【図５】
0004117640.tif 000006
【図６】
0004117640.tif 000007